(57)【特許請求の範囲】
【請求項１】
視準孔が設けられた視準器を該視準器の光軸がアンテナの送受信方向と平行になる様に設け、前記視準孔は断面形状が矩形で先端に向って広がり、内面は鏡面であることを特徴とするアンテナ設置用視準器。
【発明の詳細な説明】
【０００１】
【発明の属する技術分野】
本発明はアンテナを所定の方向に向け設置する場合に使用されるアンテナ設置用視準器に関するものである。
【０００２】
【従来の技術】
受信機、送信機等に設けられるアンテナの設置装置、特にパラボラアンテナ等指向性を有するアンテナでは、アンテナの利得を向上させる為には送受信する電波の方向に、即ち受信機、送信機（目標物）にアンテナを正しく向け設置する必要がある。
【０００３】
従来アンテナを目標物に向ける為の視準用の補助具として、視準用の切欠、小さな孔が設けられており、アンテナを設置する場合、前記切欠、孔を通して目標物を視準し、目標物に対してアンテナの向きを設定していた。
【０００４】
又、視準用の望遠鏡を設け、該望遠鏡により、目標物を視準してアンテナの向きを設置していた。
【０００５】
【発明が解決しようとする課題】
上記した前記切欠、孔を通して目標物を視準し方向を設定する方法では、おおよその方向しか設定できず、又、前記切欠、孔による方向合わせでは、目標物と切欠、孔との合わせ方で個人差が生じ、又合わせ方によっては方向が大きくずれることもある。
【０００６】
又望遠鏡を用いた方法では、精度が高くアンテナの方向を目標物に対して正確に設定することが可能であるが、望遠鏡は高価なものであり、アンテナのコストが高くなってしまう。
【０００７】
本発明は斯かる実情に鑑み、安価で、而も正確な方向合わせが可能なアンテナの設置装置を提供するものである。
【０００８】
【課題を解決するための手段】
本発明は、視準孔が設けられた視準器を該視準器の光軸がアンテナの送受信方向と平行になる様に設け、前記視準孔は断面形状が矩形で先端に向って広がり、内面は鏡面であるアンテナ設置用視準器に係るものである。
【０００９】
【発明の実施の形態】
以下、図面を参照しつつ本発明の実施の形態を説明する。
【００１０】
図１、図２に於いて、１はアンテナ、２は視準器を示している。
【００１１】
アンテナ１は、アンテナ本体３及び支持部４から構成され、該支持部４は所要の構造物に取付けられる。
【００１２】
該支持部４に前記アンテナ本体３の送受信方向と平行な光軸を有する視準器２がブラケット６を介して設けられている。
【００１３】
前記視準器２について、図３〜図６により説明する。
【００１４】
鏡筒７を貫通する視準孔８は視準方向と合致した光軸を有し、又断面形状は矩形であり、更に該視準孔８は対象側に向って大きくなるテーパ孔となっている。更に、前記視準孔８の内面は鏡面８ａ，８ｂ，８ｃ，８ｄとなっている。
【００１５】
鏡面を構成する方法としては、前記視準孔８の内面に反射率の良い材質、例えばアルミニウムを蒸着する、或は内面に反射フィルムを貼設する、ガラス、合成樹脂等の反射板を貼設する、或は前記視準孔８の内面を鏡面研磨する等種々の手段が考えられる。又、前記鏡筒７自体の構造も、鏡面を構成する方法に合わせて、合成樹脂で射出成型する、或は金属ダイカスト製にする等一体もので成型する、前記鏡筒７の各面毎に分割する等種々選択される。
【００１６】
前記ブラケット６は先端部が２股状となっており、前記支持部４には位置決め凹部（図示せず）が形成され、前記ブラケット６の先端部は前記凹部に嵌脱可能となっており、嵌合状態では前記鏡筒７の軸心が前記アンテナ本体３の送受信方向と平行になる様位置決めされる。又、嵌合後前記ブラケット６はローレット螺子９等で固着される様になっており、前記視準器２は容易に着脱可能である。
【００１７】
図７、図８に於いて作用を説明する。
【００１８】
図７は前記視準器２による視準方向が対象物１１に合致している場合を示している。
【００１９】
図では該対象物１１から入射する光線は放射状となっているが、実際には前記視準器２の軸心と平行である。この状態では、前記対象物１１は前記視準孔８の中央に見える。更に、前記鏡面８ａ，８ｂ，８ｃ，８ｄはテーパ面となっているので、前記対象物１１からの光線は前記鏡面８ａ，８ｂ，８ｃ，８ｄの中央で反射され、各鏡面の中央に見える。
【００２０】
図８は前記対象物１１が前記視準器２の光軸に対して水平方向（図８（Ｂ）では右側）にずれた場合を示している。
【００２１】
前記対象物１１が光軸からずれることで、前記鏡面８ｂと鏡面８ｄとで入射光の反射位置が移動する（図８（Ｂ）参照）。従って、作業者が視準した場合、前記対象物１１の反射像は前記鏡面８ｂでは先端側に、又前記鏡面８ｄでは基端側となる。作業者は、前記鏡面８ｂの反射像と鏡面８ｄの反射像とを比較して観察するので、移動量は２倍となって認識される。従って、微妙なずれ量も認識が可能である。
【００２２】
作業者は、前記鏡面８ｂの反射像と鏡面８ｄの反射像とを対比して、相互の位置にずれを認識した場合、ずれが解消される様に前記支持部４の位置、方向を調整し、前記鏡面８ｂの反射像と鏡面８ｄの反射像がそれぞれ各鏡面の中央となる様に、即ち左右で反射像の位置ずれがない様にする。又、上記した様に作業者は鏡面の反射像の比較により微妙なずれ量が認識可能であるので、調整即ち光軸合せは正確に行える。
【００２３】
前記対象物１１が前記視準器２の光軸に対して鉛直方向にずれている場合も同様であり、前記鏡面８ａの反射像と鏡面８ｃの反射像がそれぞれ鏡面の中央となる様に前記支持部４の姿勢を調整する。
【００２４】
尚、前記対象物１１の光軸のずれ量に対する鏡面での移動量は、前記鏡面の傾斜量に影響されるので、鏡面の傾斜量を選択することで感度を調整することができる。又、反射像を鏡面の中央に合せ易い様に、鏡面にクロス線、或は丸等の図形を印してもよい。
【００２５】
尚、本発明はアンテナの設置に使用するだけでなく、指向性のある装置を設置する場合に使用可能であることは言う迄もない。
【００２６】
【発明の効果】
以上述べた如く本発明によれば、視準孔が設けられた視準器を該視準器の光軸がアンテナの送受信方向と平行になる様に設け、前記視準孔は断面形状が矩形で先端に向って広がり、内面は鏡面であり、対象物の鏡面内での反射像の位置は視準孔の光軸の対象物に対するずれを反映するので、鏡面間の反射像の位置の対比により正確な方向合せが可能となり、又視準器自体は構造が極めて簡潔であり、安価であるという優れた効果を発揮する。
【図面の簡単な説明】
【図１】本発明の実施の形態を示す平面図である。
【図２】同前実施の形態を示す正面図である。
【図３】本発明の実施の形態に係る視準器の側面図である。
【図４】該視準器の正面図である。
【図５】該視準器の背面図である。
【図６】図５のＡ−Ａ矢視図である。
【図７】前記視準器の作用を示す説明図であり、光軸と対象物との方向が合致している場合の（Ａ）は視準器の正面図、（Ｂ）は平面での反射位置を示す説明図、（Ｃ）は立面での反射位置を示す説明図、（Ｄ）は視野内の像の状態を示す説明図である。
【図８】前記視準器の作用を示す説明図であり、光軸と対象物との方向が水平方向でずれている場合の（Ａ）は視準器の正面図、（Ｂ）は平面での反射位置を示す説明図、（Ｃ）は立面での反射位置を示す説明図、（Ｄ）は視野内の像の状態を示す説明図である。
【符号の説明】
１          アンテナ
２          視準器
６          ブラケット
８          視準孔
７          鏡筒
９          ローレット螺子
【図１】
0004677153.tif 000002
【図２】
0004677153.tif 000003
【図３】
0004677153.tif 000004
【図４】
0004677153.tif 000005
【図５】
0004677153.tif 000006
【図６】
0004677153.tif 000007
【図７】
0004677153.tif 000008
【図８】
0004677153.tif 000009